(57)【要約】【課題】遊技盤の着脱作業を容易化した遊技盤の開閉着脱機構を提供する。【解決手段】開閉着脱機構は遊技盤を収容する収容枠１０に配設された固定ヒンジ部材１１２と、遊技盤２０に配設されて固定ヒンジ部材のヒンジピン１１２ｃと係脱および係合状態で相対揺動が可能な揺動ヒンジ部材と、収容枠１０に枠部内方に突出して配設され前後方向に弾性変形可能な押圧辺部１４４を有する押さえ部材１４０とを備え、揺動ヒンジ部材が固定ヒンジ部材に係合されたときに、押圧辺部１４４が遊技盤２０の前面と係合して遊技盤２０を後方に付勢するように構成する。【選択図】図１２
2010167319.tif 000002
【特許請求の範囲】
【請求項１】
前面に遊技領域が設けられた遊技盤と、前記遊技盤を所定位置で着脱可能に収容する収容部が設けられた枠部材とを備え、前記遊技領域に遊技球を打ち出して遊技を行うように構成された弾球遊技機において、
前記収容部に配設された固定ヒンジ部材と、
前記遊技盤に配設されて前記固定ヒンジ部材と係脱および係合状態で相対揺動が可能な揺動ヒンジ部材と、
前記収容部に枠部内方に突出して配設され前後方向に弾性変形可能な押さえ部材とを備え、
前記揺動ヒンジ部材が前記固定ヒンジ部材に係合されたときに前記押さえ部材が前記遊技盤の前面と係合して前記遊技盤を後方に付勢するように構成されていることを特徴とする遊技盤の開閉着脱機構。
【発明の詳細な説明】
【技術分野】
【０００１】
本発明は、前面に遊技領域が設けられた遊技盤と、この遊技盤を着脱可能に収容する枠部材とを備え、遊技領域に遊技球を打ち出して遊技を行うように構成された弾球遊技機に関し、なお詳細には遊技盤を枠部材の所定位置に開閉および着脱可能に支持する遊技盤の開閉着脱機構に関する。
【背景技術】
【０００２】
上記のような遊技盤と枠部材とを備える弾球遊技機として、パチンコ機、アレンジボール機、雀球遊技機等が一般的に知られている。この種の遊技機の代表としてパチンコ機を例に挙げて説明すると、パチンコ機は外郭方形状の外枠に開閉搭載枠たる前枠が横開き開閉可能にヒンジ結合され、この前枠に所要のゲージ設定で遊技領域が形成された遊技盤が立設姿勢で組み付けられている。遊技盤の前方にはガラス扉が横開き開閉可能に前枠に取り付けられており、常には遊技盤の前面を覆って遊技領域を透視可能に閉鎖保持されている。前枠の下部には遊技球発射装置および操作ハンドルが設けられて遊技領域の所望位置に遊技球を打ち出し得るように構成されており、遊技領域に打ち出した遊技球が遊技領域を落下移動する過程で入賞具に入賞するように操作ハンドルを操作して遊技を行うようになっている。
【０００３】
このような構成のパチンコ機にあって、遊技盤は、パチンコ機の機種変更に対する生産対応の柔軟性を確保し、またいわゆる盤面替えや遊技盤の保守交換等に迅速に対応できるように、遊技盤の主要な形状寸法が共通化されており、一般的に、前枠に遊技盤の外形よりも幾分大きめな枠形状に形成された収容枠に着脱可能に収容され、収容枠に設けられた係止機構によって前枠の所定位置に固定保持されるように構成されている。遊技盤の収容形態としては、遊技盤を前枠の後面側から収容枠に着脱する遊技盤後方着脱形態と、前枠の前面側から収容枠に着脱する遊技盤前方着脱形態とがあり、ともに実用化されている。一方、係止機構には、収容枠に収容された遊技盤を強固に固定保持することが基本的機能として求められるが、着脱操作の容易性や迅速性等も同時に要求される。このため、近年では遊技盤を収容枠に収容して操作レバーを一定の固定角度位置に回動操作したときに遊技盤が前枠の所定位置に固定保持される形態の固定装置、いわゆるレバー回動型の固定装置（施錠装置）が考案されている（特許文献１参照）。
【０００４】
例えば、特許文献１に記載された施錠装置は、上述した遊技盤前方着脱形態のパチンコ機において、収容枠（セット保持枠）の所定位置に設けられた保持部と、この保持部に着脱可能に嵌合セットされて回転可能に支持される施錠具とを備え、これらが収容枠の四隅位置などの複数カ所に設けられて構成される。施錠具には前後方向に延びる軸部の後側に収容枠側の保持部に支持される回動支盤が、軸部の前側に指先操作可能な操作部および係合部がともに一体に形成されており、保持部に回動可能に嵌合支持された施錠具を１８０度回動させたときに、軸部から偏心位置にある係合部が遊技盤の前面側に旋回移動して遊技盤側の係合受部と係合し、この係合部と保持部との間に遊技盤を挟持して固定保持するように構成されている。
【先行技術文献】
【特許文献】
【０００５】
【特許文献１】特開２０００−２８８２１５号公報
【発明の概要】
【発明が解決しようとする課題】
【０００６】
ところで、遊技盤はパチンコ機にとってゲームを展開する場であり、遊技者を惹きつけて飽きさせないように趣向を凝らした構成が要求される。そこで、近年では、ゲーム展開を多様化させるために液晶表示装置が採用されるとともにそのサイズが年々大型化し、また画面表示の高度化に伴って画像表示基板が大型化し、あるいは入賞装置やランプ装置が複雑化するなど、遊技盤に組み付けられる各種遊技構成部品が高度化、複雑化して遊技盤全体の重量が増加の一途をたどっている。また遊技盤自身の外形寸法が大型化する傾向も見られるようになってきている。
【０００７】
このため、遊技盤の装着作業は、大型かつ重量のある遊技盤を支持して収容枠に収容し、さらに係止機構の各部を位置合わせして係合させた状態で片手で遊技盤を支持しながら係止機構を固定操作しなければならず、熟練作業者にとっても煩雑で重労働であるという問題があった。また遊技盤を取り外す脱着作業は、係止機構を解放状態にして遊技盤を収容枠から引き出す操作を行うが、このときには収容枠と遊技盤との間のわずかな隙間を利用して遊技盤を引き出す必要があり、また係止機構の開放時または収容枠から引き出す際に遊技盤の全重量が急に作用するため、装着作業と同様に煩雑かつ重労働であり、適切な支持を怠ると遊技盤を落下させてしまうおそれがあるという問題があった。
【０００８】
本発明はこのような問題や課題に鑑みてなされたものであり、遊技盤の着脱作業を容易化できるような着脱機構を提供することを目的とする。
【課題を解決するための手段】
【０００９】
上記目的達成のため、本発明は、前面に遊技領域が設けられた遊技盤と、この遊技盤を所定位置で着脱可能に収容する収容部が設けられた枠部材とを備え、遊技領域に遊技球を打ち出して遊技を行うように構成された弾球遊技機において、収容部（例えば、実施形態における収容枠１０）に配設された固定ヒンジ部材と、遊技盤に配設されて固定ヒンジ部材と係脱および係合状態で相対揺動が可能な揺動ヒンジ部材と、収容部に枠部内方に突出して配設され前後方向に弾性変形可能な押さえ部材とを備え、揺動ヒンジ部材が固定ヒンジ部材に係合されたときに押さえ部材が遊技盤の前面と係合して遊技盤を後方に付勢するように遊技盤の開閉着脱機構を構成する。
【００１０】
このような構成の開閉着脱機構では、収容部に配設された固定ヒンジ部材と、遊技盤に配設されて固定ヒンジ部材と係脱および係合状態で相対揺動が可能な揺動ヒンジ部材とによって、遊技盤が収容部に着脱および開閉可能に収容される。このため、遊技盤を装着する装着作業では、揺動ヒンジ部材を固定ヒンジ部材に係合させることに注目して作業を行えばよく、あとはこれらのヒンジ機構に支持された遊技盤を閉止することで遊技盤が所定位置に配設される。また遊技盤を取り外す脱着作業では、ヒンジ機構に支持された遊技盤を閉止位置から開放し、遊技盤の下縁を支持しやすい状態にして遊技盤を取り外すことができる。
【００１１】
さらに、本構成の開閉着脱機構では、揺動ヒンジ部材が固定ヒンジ部材に係合されたときに遊技盤の前面と係合して遊技盤を後方に付勢する押さえ部材が備えられている。このため、揺動ヒンジ部材を固定ヒンジ部材に係合支持させると遊技盤が押さえ部材と係合して後方に付勢され、遊技盤を揺動閉止させることで遊技盤が所定位置に配設される。従って、このような遊技盤の開閉着脱機構によれば軽い操作力で遊技盤の装着作業を行うことができる。また、押さえ部材の付勢力によって遊技盤が付勢支持されるため、固定ヒンジ部材と揺動ヒンジ部材との係合部分に多少大きめのクリアランスを設定してもガタツキ等を生じることがなく、不快な振動や騒音を低減して遊技性を向上させるとともに長期信頼性が高い開閉着脱機構を提供することができる。
【発明の効果】
【００１２】
以上説明したように、本発明では、前面に遊技領域が設けられた遊技盤と、この遊技盤を所定位置で着脱可能に収容する収容部が設けられた枠部材とを備え、遊技領域に遊技球を打ち出して遊技を行うように構成された弾球遊技機において、収容部に配設された固定ヒンジ部材と、遊技盤に配設されて固定ヒンジ部材と係脱および係合状態で相対揺動が可能な揺動ヒンジ部材と、収容部に枠部内方に突出して配設され前後方向に弾性変形可能な押さえ部材とを備え、揺動ヒンジ部材が固定ヒンジ部材に係合されたときに押さえ部材が遊技盤の前面と係合して遊技盤を後方に付勢するように遊技盤の開閉着脱機構を構成する。
【００１３】
このような構成の開閉着脱機構では、遊技盤の装着作業においては、揺動ヒンジ部材を固定ヒンジ部材に係合させることに注目して作業を行えばよく、あとは開閉着脱機構に支持された遊技盤を閉止するだけで遊技盤が係止待機状態に配設され、固定部材を係止操作することで遊技盤が所定位置に係止保持される。また遊技盤を取り外す脱着作業では、固定部材を解放操作して係止機構による係止を解除し開閉着脱機構に支持された遊技盤を閉止位置から揺動開放し、遊技盤の下縁を支持しやすい状態にして遊技盤を取り外すことができる。従って比較的重量のある遊技盤の全重量を支持しながら微妙な位置合わせを行う必要がなく、遊技盤の着脱作業を容易化することができる。
【００１４】
また、本構成の開閉着脱機構では、揺動ヒンジ部材が固定ヒンジ部材に係合されたときに遊技盤の前面と係合して遊技盤を後方に付勢する押さえ部材が備えられているため、ヒンジ係合させた後は軽い操作力で遊技盤を装着することができる。また、押さえ部材の付勢力によって遊技盤が付勢支持されるため、固定ヒンジ部材と揺動ヒンジ部材との係合部分に多少大きめのクリアランスを設定してもガタツキ等を生じることがなく、不快な振動や騒音を低減して遊技性を向上させるとともに長期信頼性が高い開閉着脱機構を提供することができる。
【図面の簡単な説明】
【００１５】
【図１】本発明に係る固定装置を備えた遊技機の一例として示すパチンコ機のガラス扉を開放した状態における正面図である。
【図２】ガラス扉および遊技盤を取り外した状態における上記パチンコ機の正面図（ガラス扉については背面図）である。
【図３】開閉着脱機構を分離させた状態における上部ヒンジ構造の斜視図である。
【図４】開閉着脱機構を分離させた状態における下部ヒンジ構造の斜視図である。
【図５】遊技盤を閉止させた状態における上部ヒンジ構造の正面図である。
【図６】遊技盤を閉止させた状態における下部ヒンジ構造の正面図である。
【図７】遊技盤を閉止させた状態における上部ヒンジ構造の平面図（部分平断面図）である。
【図８】遊技盤を閉止させた状態における下部ヒンジ構造の平面図（部分平断面図）である。
【図９】押さえ部材および取り付け周辺部の斜視図である。
【図１０】固定ヒンジ部材、揺動ヒンジ部材および押さえ部材の他の構成例を示す斜視図である。
【図１１】遊技盤着脱時における下部ヒンジ構造の平面図である。
【図１２】遊技盤を着脱する際の押さえ部材の作用を示す平断面図である。
【図１３】開放補助部材およびその取り付け周辺部を示す斜視図である。
【図１４】遊技盤を開閉する際の開放補助部材の作用を示す平断面図である。
【図１５】本発明に係る固定装置における係止機構の主要構成を分解状態で示す斜視図である。
【図１６】係止機構を構成する各部材の組み付け関係を分解状態で示す平断面図である。
【図１７】係止機構における枠側係止構造の係止部と盤側係止構造の係止受け部との関係を示す平断面図（部分断面図）である。
【図１８】係止機構を構成する主要部材の単体正面図である。
【図１９】枠側係止構造と盤側係止構造とを分離状態で示す正面図である。
【図２０】遊技盤を着脱する際の枠側係止構造と盤側係止構造との関係を示す側断面図である。
【図２１】係止機構による遊技盤の固定状態を示す側断面図である。
【図２２】図２１中の矢印F22−F22方向に見た背面図であって、このうち(ａ)図は係止待機状態における背面図、(ｂ)図は係止状態における背面図である。
【図２３】係止状態における係止機構の平断面図である。
【図２４】係止機構の許容度を説明するための正面図である。
【図２５】ガラス扉を開放させた状態におけるパチンコ機の平面図である。
【図２６】未固定状態における係止機構と固定忘れ防止機構との関係を示す平断面図である。
【図２７】固定状態における係止機構と固定忘れ防止機構との関係を示す平断面図である。
【図２８】固定忘れ防止機構の作用を示す平面図である。
【図２９】固定レバー前端に鍵係合穴を設けた実施例を示す正面図である。
【発明を実施するための形態】
【００１６】
以下、本発明の好ましい実施形態について、好適な実施例を挙げて添付図面を参照しながら詳細に説明する。なお実施例では、前枠の正面奥部に遊技盤が収容保持された形態のパチンコ機に本発明を適用した場合を主として説明する。
【００１７】
まず、パチンコ機ＰＭの概要構成を図１および図２を参照して要約説明する。ここで、図１はパチンコ機ＰＭのガラス扉５を開放した状態におけるパチンコ機ＰＭの正面図、図２はガラス扉５および遊技盤２０を取り外した状態におけるパチンコ機ＰＭの正面図（ガラス扉５については背面図）である。
【００１８】
パチンコ機ＰＭは外郭方形枠サイズに構成されて縦向きの固定保持枠をなす外枠１の開口前面に、これに合わせた方形枠サイズに構成されて開閉搭載用の前枠２が互いの正面左側上下に配設されたヒンジ機構３ａ，３ｂで横開き開閉および着脱が可能に取り付けられ、正面右側に設けられたダブル錠と称される施錠装置４を利用して常には外枠１と係合された閉鎖状態に保持される。
【００１９】
前枠２の前面側には、前枠２の前面域に合わせた方形状のガラス扉５および球皿６が正面左側に設けられたヒンジ機構７ａ，７ｂ，７ｃで横開き開閉および着脱が可能に取り付けられ、正面右側に設けられた施錠装置４および球皿施錠装置を利用して前枠２の前面を覆う閉鎖状態に保持される。球皿６の右側下部には遊技球の発射操作を行う操作ハンドル８が取り付けられている。前枠２の上部には方形枠状の収容枠１０が前枠２と一体に成型されており、この収容枠１０に遊技盤固定装置ＦＳを利用して遊技盤２０が着脱可能に立設保持される。
【００２０】
遊技盤２０は、所定板厚の積層合板の表面にセルを貼り付け、これを所定形状にルーター加工した化粧板（「ベニヤ」とも称される）２１を基板として構成される。化粧板２１の前面側には、上下２分割のレール飾り２２，２３がビス止めされてその内側に略円形の遊技領域ＰＡが区画形成され、この遊技領域ＰＡに多数本の遊技釘とともに風車や各種入賞具２４、遊技の進行状況に応じて所定の図柄を表示させる図柄表示装置２５などの遊技構成部品が取り付けられ、遊技領域ＰＡの下端部には入賞具２４に入賞せずに落下した遊技球を遊技盤２０の裏面側に排出させるアウト口２７が設けられている。
【００２１】
常には遊技盤２０の前面を覆って閉鎖保持されるガラス扉５は、中央に前後連通する窓口開口を有して樹脂成型された扉枠５１の背面側に、前後２枚のガラス板が一体化されたガラスアッセンブリ５２がヒンジ機構５３ａ，５３ｂによって横開き開閉および着脱可能に取り付けられ、ガラス施錠装置５４によってガラス扉５の窓口開口を覆う閉止位置に係止保持されている。また、球皿６の背後に位置する前枠２の下部領域には遊技補助盤と称される補助機構部が形成されており、この遊技補助盤の各部に、操作ハンドル８の回動操作に基づいて遊技盤２０に遊技球を打ち出す遊技球発射装置や、遊技の展開状態に応じて効果音を発生させる音響装置などが設けられている。
【００２２】
前枠２の裏面側には、中央に前後連通する開口を有して前枠２よりもやや小型の方形枠状に形成された裏セット盤３０が着脱可能にセット保持される。裏セット盤３０の各部には、詳細図示省略するが、遊技球を貯留する球貯留タンクや球貯留タンクから供給された遊技球を整列させる整列通路、遊技盤２０における入賞状態等に基づいて遊技球を払い出す球払出装置、球払出装置から払い出された遊技球を球皿６に導く球払出通路などの賞球機構が設けられるとともに、遊技盤２０の裏面側に排出された遊技球を集合させて遊技施設の回収バケットに排出させる排出通路などが設けられている。また裏セット盤３０の裏面側には、電源基盤や主基板などの各種回路基盤および電子部品等が取り付けられ、これらがワイヤーハーネスで接続されて遊技可能に構成される。
【００２３】
パチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が１球ずつ遊技球発射装置に送り出され、遊技球発射装置のハンマにより遊技盤２０の遊技領域ＰＡに打ち出されて、以降パチンコゲームが展開される。
【００２４】
以上のように概要構成されるパチンコ機ＰＭにあって、遊技盤２０は前枠２の前方から収容枠１０に着脱可能に収容され、遊技盤固定装置ＦＳを利用して収容枠１０内の所定位置に固定保持される。
【００２５】
遊技盤固定装置ＦＳは、収容枠１０および遊技盤２０の正面左側上下に設けられた開閉着脱機構１００と、互いの正面右側上下に設けられた係止機構２００とを主体として構成され、本実施例では係止機構２００による遊技盤２０の固定忘れを防止する固定忘れ防止機構２５０を併設した例を示している。遊技盤固定装置ＦＳでは、遊技盤２０が開閉着脱機構１００によって収容枠１０に揺動開閉および着脱可能に支持され、係止機構２００によって収容枠１０の所定位置に固定保持される。また固定忘れ防止機構２５０は係止機構２００が未固定状態（係止待機状態）であるときに、この状態を明確にして遊技盤２０の固定忘れを未然に防止する機構である。以下、まず図３〜図８の各図を主に参照しながら開閉着脱機構１００の構成から順次詳細に説明する。
【００２６】
なお図３〜図８の各図について予め簡単に説明すると、図３および図４はそれぞれ開閉着脱機構１００を分離させた状態における上部ヒンジ構造１０１および下部ヒンジ構造１０２の斜視図、図５および図６はそれぞれ遊技盤２０を閉止させた状態における上部および下部ヒンジ構造１０１，１０２の正面図、図７および図８は遊技盤２０を閉止させた状態における上部および下部ヒンジ構造１０１，１０２の平面図（部分平断面図）である。
【００２７】
開閉着脱機構１００は、収容枠１０の内側に配設された上下一対の固定ヒンジ部材１１１，１１２と、遊技盤２０の外周部に配設されて上下の固定ヒンジ部材とそれぞれ係脱および係合状態で相対揺動が可能な上下一対の揺動ヒンジ部材１２１，１２２とを備えて構成され、遊技盤側の上下の揺動ヒンジ部材１２１，１２２を収容枠側の上下の固定ヒンジ部材１１１，１１２に係合させることで遊技盤２０が収容枠１０に揺動開閉可能に支持される。
【００２８】
また開閉着脱機構１００を機能的に分類すると、上部固定ヒンジ部材１１１と上部揺動ヒンジ部材１２１とで上部ヒンジ構造１０１が、下部固定ヒンジ部材１１２と下部揺動ヒンジ部材１２２とで下部ヒンジ構造１０２が構成され、これら上下一対のヒンジ構造１０１，１０２により遊技盤２０が収容枠１０に着脱および揺動開閉可能に支持される。
【００２９】
上部固定ヒンジ部材１１１は、全体として側面視Ｌ字状の板状体をなし、収容枠１０の前面に固定される固定部１１１ａと、この固定部１１１ａの上部が直角に折り曲げられて前方に突出する支持板部１１１ｂ、この支持板部の下面に下方に突出して固着された円柱状のヒンジピン１１１ｃ、固定部１１１ａに形成されたサラモミ孔形態のネジ挿通孔１１１ｈなどを主体として構成される。上部固定ヒンジ部材１１１は、所定板厚の鋼板を打ち抜きおよびプレス成型してＬ字アングル状に形成した後、支持板部１１１ｂにヒンジピン１１１ｃをカシメ圧着またはリベット締結することで形成される。
【００３０】
収容枠１０の内側左上部には、上部固定ヒンジ部材１１１の配設位置に合わせてネジ挿通孔１１１ｈと位置整合するネジ受容孔が形成されており、ネジ挿通孔１１１ｈにサラ小ネジを挿通させてネジ受容孔に螺合締結させることにより、上部固定ヒンジ部材１１１が収容枠１０上方の所定位置にネジ固定される。
【００３１】
下部固定ヒンジ部材１１２は、全体として側面視クランク状の板状体をなし、収容枠１０に支持される支持板部１１２ｂと、この支持板部の前後がそれぞれ上方および下方に直角に折り曲げられた上下の固定部１１２ａ、支持板部１１２ｂの上面に上方に突出して固着された円柱状のヒンジピン１１２ｃ、上下の固定部１１２ａに形成されたサラモミ孔形態のネジ挿通孔１１２ｈなどを主体とし、上部固定ヒンジ部材１１１と同様の板材を同様の加工手段により加工成形して形成される。
【００３２】
収容枠１０の内側左下部には、下部固定ヒンジ部材１１２の配設位置に合わせて固定ヒンジ収容溝１２が設けられ、この収容溝における前後の立設面にネジ挿通孔１１１ｈと位置整合するネジ受容孔１２ｈが形成されている。固定ヒンジ収容溝１２は、下部固定ヒンジ部材１１２の形状および板厚に合わせて凹状に形成されており、この収容溝１２に下部固定ヒンジ部材１１２を収容させたときに、固定部１１２ａの前面および支持板部１１２ｂの上面が収容枠１０の内面と同一面に配設されて、下部固定ヒンジ部材１１２が周囲の枠面から突出しないように平坦に配設される。下部固定ヒンジ部材１１２は、このように下部固定ヒンジ部材１１２を固定ヒンジ収容溝１２に収容させた状態で、前後のネジ挿通孔１１２ｈにサラ小ネジを挿通させてネジ受容溝１２ｈに締め込むことによりネジ固定される。
【００３３】
こうして上下の固定ヒンジ部材１１１，１１２が収容枠１０に取着されると、上下の支持板部１１１ｂ，１１２ｂが所定間隔を隔てて上下平行に配設され、これらの支持板部から突出するヒンジピン１１１ｃ，１１２ｃが相対向して同一軸上に配設される。また、下部固定ヒンジ部材１１２は固定ヒンジ収容溝１２に収容されて固定され、周囲の枠面からヒンジピン１１２ｃのみが上方に突出して配設される。
【００３４】
上下の揺動ヒンジ部材１２１，１２２は、ともに側面視Ｌ字状の板状体をなし、上下揺動ヒンジ部材の中間に遊技盤に直交方向に立てた面に対して面対称（ミラーイメージ）に形成される。そこで、まず図４に全体形状が明示的に示される下部揺動ヒンジ部材１２２について説明すると、下部揺動ヒンジ部材１２２は、化粧板２１の背面に固定される固定部１２２ａと、この固定部１２２ａの下部が直角に折り曲げられて前方に突出するヒンジプレート１２２ｂ、このヒンジプレート１２２ｂに左右方向に延びて形成されたヒンジ溝１２２ｃ、固定部１２２ａに裏面側から形成されたサラモミ孔形態のネジ挿通孔１２２ｈなどからなり、上下の固定ヒンジ部材１１１，１１２と同様の板材を同様の加工手段により加工成形して形成される。
【００３５】
下部揺動ヒンジ部材１２２は、この下部揺動ヒンジ部材が化粧板２１にネジ固定された取付状態において、平面視化粧板２１から前後左右に突出しないように形成されている。具体的には、下部揺動ヒンジ部材１２２の前後方向の外形寸法が化粧板２１の板厚と同一またはこれより幾分小さめに形成され、下部揺動ヒンジ部材１２２の後端角部に化粧板２１と同様の円弧状の逃げ部１２２ｒが形成されて、下部揺動ヒンジ部材１２２が化粧板２１の左端角部に合わせて取り付けられた取付状態において化粧板２１から突出しないようになっている。
【００３６】
ヒンジ溝１２２ｃは、平面視において左端開放のＵ字溝状をなし右方溝端はヒンジピン１１２ｃの外径と同一半径の円弧状に形成されている。またヒンジ溝１２２ｃは前方の溝面が化粧板２１の前面と平行に形成される一方、後方の溝面が斜め後方に延びて形成されており、図１１に下部ヒンジ構造１０２の平面図を示すように、左端の開口部の溝幅Ｗがヒンジピン１１２ｃの直径よりも大きな開口寸法になっている。
【００３７】
一方、遊技盤２０の左下角部には、遊技盤２０の裏面側に下部揺動ヒンジ部材の固定部１２２ａを収容する固定収容部３２ａが形成され、遊技盤２０の下端外周部に下部揺動ヒンジ部材のヒンジプレート１２２ｂを収容する切り欠き部３２ｂが形成されている。
【００３８】
固定収容部３２ａは、下部揺動ヒンジ部材１２２の板厚と同一またはこれより幾分大きめの切り込み深さで、固定部１２２ａの形状に合わせて化粧板２１の裏面をルータ加工することにより形成され、この固定収容部３２ｂに固定部１２２ａをネジ固定したときに、固定部１２２ａを収容して下部揺動ヒンジ部材１２２が化粧板２１の裏面よりも後方に突出しないようになっている。また、このように化粧板２１の裏面側に固定部１２２ａを設け、盤面と直交方向にねじ止めすることにより、遊技盤２０の美観を損ねることなく、かつ積層合板の積層方向と直交方向にネジを打ち込んで下部揺動ヒンジ部材１２２を強固に固定することができる。
【００３９】
切り欠き部３２ｂは、下部固定ヒンジ部材１１２におけるヒンジピン１１２ｃの突出高さよりも幾分大きめの切り込み深さで、化粧板２１の下端外周部をルータ加工することにより形成され、下部揺動ヒンジ部材１２２を取り付けたときにヒンジプレート１２２ｂをこの切り欠き部内に収容して、下部揺動ヒンジ部材１２２が化粧板２１の外周方向に突出しないようになっている。
【００４０】
下部揺動ヒンジ部材１２２は、ヒンジプレート１２２ｂの左端角部を化粧板２１の下面および左側面の交点（遊技盤の外形輪郭線の交点）に合わせて配設し、固定部１２２ａの裏面側からネジ挿通孔１２２ｈを通して皿ビス１２３を固定収容部３２ａにねじ込むことにより、遊技盤２０の左下角部に固定される。そしてこのように下部揺動ヒンジ部材１２２が取り付けられると、下部揺動ヒンジ部材１２２における固定部１２２ａが固定収容部３２ａに収容され、ヒンジプレート１２２ｂが切り欠き部３２ｂに収容されて、下部揺動ヒンジ部材１２２が遊技盤２０の前後および外周方向（遊技盤の外形輪郭線よりも外側）に突出しないように固定配設される。またヒンジプレート１２２ｂの上面と切り欠き部３２ｂの下向き面との間に、ヒンジピン１１２ｃの頭部を受容可能なピン収容空間が形成される。
【００４１】
上部揺動ヒンジ部材１２１は、化粧板２１の背面に固定される固定部１２１ａ、固定部１２１ａの上部が直角に折り曲げられて前方に突出するヒンジプレート１２１ｂ、ヒンジプレート１２１ｂに左右方向に延びて形成されたヒンジ溝１２１ｃ、固定部に裏面側から形成されたサラモミ孔形態のネジ挿通孔１２１ｈなどからなり、前述したように、下部揺動ヒンジ部材１２２と上下面対称に構成されている。そこで、以下では上部揺動ヒンジ部材１２１およびその取付部について確認的に簡潔に説明する。
【００４２】
上部揺動ヒンジ部材１２１は、下部揺動ヒンジ部材１２２と同様に、上部揺動ヒンジ部材が化粧板２１にネジ固定された取付状態において、平面視、化粧板２１から前後左右に突出しないように形成されている。すなわち、上部揺動ヒンジ部材１２１の前後方向の外形寸法が化粧板２１の板厚と同一またはこれより幾分小さめに形成され、上部揺動ヒンジ部材１２１の後端角部に化粧板２１と同様の円弧状の逃げ部１２１ｒが形成されて、上部揺動ヒンジ部材１２１が取り付けられた取付状態において化粧板２１から突出しないようになっている。なお、ヒンジ溝１２１ｃは、既述したヒンジ溝１２２ｃと同様に形成されている。
【００４３】
遊技盤２０の左上角部には、遊技盤２０の裏面側に上部揺動ヒンジ部材の固定部１２１ａを収容する固定収容部３１ａが形成され、遊技盤２０の上方外周部に上部揺動ヒンジ部材のヒンジプレート１２１ｂを収容する切り欠き部３１ｂが形成されている。固定収容部３１ａは、上部揺動ヒンジ部材１２１の板厚と同一またはこれより幾分大きめの切り込み深さで、固定部１２１ａの形状に合わせて化粧板２１の裏面をルータ加工することにより形成され、この固定収容部３１ｂに固定部１２１ａをネジ固定したときに、固定部１２１ａを収容して上部揺動ヒンジ部材１２１が化粧板２１の裏面よりも後方に突出しないようになっている。なお、化粧板２１の裏面側に固定部１２１ａを設けて盤面と直交方向にねじ止めすることで上述した下部揺動ヒンジ部材１２２と同様の効果を得ることができる。
【００４４】
また切り欠き部３１ｂは、遊技盤２０の左上端角部を大きく切り欠くとともに、上部固定ヒンジ部材１１２におけるヒンジピン１１２ｃの突出高さ位置（ピン頭部の高さ位置）よりも幾分低めの高さ位置までさらに化粧板２１の上端外周部をルータ加工することにより形成され、上部揺動ヒンジ部材１２１を取り付けたときに、ヒンジプレート１２１ｂをこの切り欠き部内に収容して、上部揺動ヒンジ部材１２１が化粧板２１の外周方向に突出しないようになっている。
【００４５】
上部揺動ヒンジ部材１２１は、ヒンジプレート１２１ｂの左端角部を化粧板２１におけるこの領域の上面および左側面の交点に合わせて配設し（図５を参照）、固定部１２１ａの裏面側からネジ挿通孔１２１ｈを通して皿ビス１２３を固定収容部３１ａにねじ込むことにより、遊技盤２０の左上部の所定高さ位置に固定される。なお上記所定高さ位置とは、上下のヒンジプレート１２１ｂ，１２２ｂの外面間隔が上下の固定ヒンジ部材における支持板部１１１ｂ，１１２ｂの内面間隔よりも幾分小さめとなる高さ位置をいう。
【００４６】
上部揺動ヒンジ部材１２１が取り付けられると、上部揺動ヒンジ部材１２１における固定部１２１ａが固定収容部３１ａに収容され、ヒンジプレート１２１ｂが切り欠き部３１ｂに収容されて、上部揺動ヒンジ部材１２１が遊技盤２０の前後および外周方向に突出しないように固定配設される。またヒンジプレート１２１ｂの下面と切り欠き部３１ｂの上向き面との間に、ヒンジピン１１１ｃの頭部を受容可能なピン収容空間が形成される。
【００４７】
こうして上下の揺動ヒンジ部材１２１，１２２が化粧板２１に取着されると、上下のヒンジプレート１２１ｂ，１２２ｂは、これらの外面間隔が上下の固定ヒンジ部材における支持板部１１１ｂ，１１２ｂの内面間隔よりも幾分小さめの間隔を有して上下平行に配設され、ヒンジプレートに形成された上下のヒンジ溝１２１ｃ，１２２ｃが平面視において上下重なって配設される。
【００４８】
そして、以上のように上下の固定ヒンジ部材１１１，１１２が収容枠１０の内側に取り付けられ、上下の揺動ヒンジ部材１２１，１２２が遊技盤２０の外周部に取り付けられると、上下のヒンジ溝１２１ｃ，１２２ｃがそれぞれヒンジピン１１１ｃ，１１２ｃとヒンジ溝の延びる方向に係脱可能になり、また係合状態では上下ヒンジピンが形成する揺動軸まわりに相対揺動可能になる。これにより遊技盤２０が収容枠１０に着脱可能かつ係合状態で横開き開閉可能に支持される。
【００４９】
さて、以上のように構成される上下のヒンジ構造１０１，１０２の中間に位置して、遊技盤２０を後方に押圧する押さえ部材１４０が設けられている。図９に押さえ部材１４０を取着する前の同部材および取り付け周辺部の斜視図を示し、図１２に押さえ部材１４０が取り付けられた状態で遊技盤２０を着脱する際の押さえ部材１４０の作用を平断面図として示すように、押さえ部材１４０は、全体としては平面視コの字状ないしユの字状で上下方向に延びて形成されている。
【００５０】
押さえ部材１４０は、上下に延びる帯板状の基板部１４１、基板部１４１の上下中間部が左方に延出されるとともに半円弧状に折り返されたアーチ部１４２、アーチ部１４２の端部が直角に折り返されて前方に延びる側辺部１４３、側辺部の前方が右方（収容枠１０の枠部内方）に折り曲げられて枠内に突出する押圧辺部１４４などからなり、所定板厚の鋼板を打ち抜きおよびプレス成型して図示形状に成形した後、必要に応じて所要の表面処理を施して形成される。
【００５１】
基板部１４１には、正面視において押圧辺部１４４が重ならない上下位置にサラモミ形態のネジ挿通孔１４１ｈが設けられ、また上下のネジ挿通孔１４１ｈの間に位置して収容枠に前方に突出形成された位置決めピン（不図示）と嵌脱可能なピン係合孔１４１ｐが形成されている。押圧辺部１４４は、側辺部１４３から収容枠の内側に向けて略直角に折り曲げられて基板部１４１と平行に延びる一方、押圧辺部１４４の先端側は前方に向けて緩やかなＲ状に形成され、化粧板２１の前面と滑らかに係合し得るようになっている。
【００５２】
一方、押さえ部材１４０が取り付けられる収容枠１０には、押さえ部材取付部３３が形成されている。押さえ部材取付部３３では、収容枠１０の前面が基板部１４１の板厚および形状に合わせて後方に凹設され基板収容部３３ａが形成されるとともに、この基板収容部３３ａに上下のネジ挿通孔１４１ｈと位置整合するネジボスおよびピン孔１４１ｐと位置整合する位置決めピンが形成されている。
また、基板収容部３３ａの左側方に位置して収容枠１０の左側面を左右に連通するスリット状のアーチ収容溝３３ｂが形成されており、アーチ部１４２を収容可能になっている。
【００５３】
押さえ部材１４０は、基板部１４１のピン係合孔１４１ｐを基板収容部３３ａの位置決めピンに嵌合させ、上下のネジ挿通孔１４１ｈにサラ小ネジを挿通させて締め込むことにより押さえ部材取付部３３に固定される。押さえ部材１４０がネジ固定されると、基板部１４１が収容枠１０の内面から突出することなく基板収容部３３ａに収容保持され、アーチ部１４２がアーチ収容溝３３ｂに収容され、側辺部１４３が収容枠１０の左側面と平行に前方に延び、押圧辺部１４４が収容枠１０の枠部内方（遊技盤方向）に向けて突出配設される。
【００５４】
ここで、収容枠１０の枠部内方に向けて突出する押圧辺部１４４は、基板部１４１と平行に延びる基端側の背面の配設位置が、上下のヒンジ構造１０１，１０２を係合させて遊技盤２０を揺動閉止させた状態における化粧板２１の前面の配設位置よりもわずかに後方に位置するように設定されている。一方、この基端側から緩やかなＲ状に形成された押圧辺部１４４の先端側では、その先端の延びる接線方向が遊技盤２０を装着する際の挿入角度より大きく設定され、その背面位置は閉止状態にある化粧板２１の前面よりも前方に位置するように設定されている。
【００５５】
そしてこのような取付状態にあって、押圧辺部１４４はアーチ部１４２の作用によって側辺部１４３を揺動アームとして左右方向に揺動変位可能であるとともに、アーチ部１４２が弾性変形することによって前後方向にも変位可能に支持され、また押圧辺部１４４自身の弾性力によって押圧辺部の基端側に対して先端側が前後に揺動変位可能に配設される。
【００５６】
これにより、上下のヒンジ構造１０１，１０２を係合させる際に、押圧辺部１４４の先端部が化粧板２１の導入を案内して上下のヒンジピン１１１ｃ，１１２ｃにヒンジ溝１２１ｃ，１２２ｃを容易に係合させることができ、またこのようにガイドさせた状態で化粧板２１を基板部１４１と押圧辺部１４４との間に斜めにスライド移動させて上下のヒンジピンとヒンジ溝とをヒンジ結合させることができる（図１２(ａ)を参照）。
【００５７】
一方、遊技盤２０を上下ヒンジピンによる揺動軸まわりに揺動させて収容枠１０内に閉止させた状態においては、押圧辺部１４４が化粧板２１の前面と係合して遊技盤２０を弾性的に後方に押圧する（図１２(ｂ)を参照）。このため閉止状態では上下のヒンジ溝１２１ｃ，１２２ｃがそれぞれヒンジピン１１１ｃ，１１２ｃと係合された状態で後方に押圧され、遊技盤２０が前後にガタついたり振動を生じたりすることがない。なお、この係合状態を詳細に見ると、ヒンジ溝１２１ｃ，１２２ｃの前方の溝面がヒンジピン１１１ｃ，１１２ｃの前方の周面に当接した状態で後方に付勢配設されており、ヒンジ溝１２１ｃ，１２２ｃにおける前方の溝面が遊技盤２０の左側の支持基準面（被支持基準面）を構成する。
【００５８】
化粧板２１の左側縁には、遊技盤２０を収容枠１０に斜めに挿入して上下のヒンジ構造１０１，１０２を係合させ揺動させたときに、裏面側の側縁角部が収容枠１０と当接しないようにＲ状に面取りされて逃げ面２１ｒが形成され、また化粧板２１の前面側にビス止めされる上レール飾り２２には、押圧辺部１４４の突出位置と整合してこの押圧辺部１４４を受容するための受容部３４が切り欠き形成されるとともに、左前端の角部が斜めに面取りされてテーパ面２２ｃが形成され遊技盤着脱時の角度許容度を拡大している。
【００５９】
なお、以上説明した実施例では、上下の固定ヒンジ部材１１１，１１２、上下の揺動ヒンジ部材１２１，１２２、および押さえ部材１４０を、それぞれ別個独立した部材で構成した例を示したが、上下の固定ヒンジ部材あるいは揺動ヒンジ部材を適宜一体化させることもできる。
【００６０】
例えば、図１０に示すように、上下に延びる帯板状の固定部１１５ａの上下を前方に折り曲げて支持板部１１５ｂ，１１５ｂを形成し、これらにヒンジピン１１５ｃ，１１５ｃ′を固着して上下に固定ヒンジ部を有する一体の固定ヒンジ部材１１５を形成することができる。また上下に延びる帯板状の固定部１２５ａの上下にヒンジ溝１２５ｃ，１２５ｃを形成するとともに前方に折り曲げてヒンジプレート１２５ｂ，１２５ｂを形成し、上下に揺動ヒンジ部を有する一体の揺動ヒンジ部材１２５を形成してもよい。さらに、固定ヒンジ部材１１５における上下の支持板部１１５ｂ，１１５ｂの中間に、前述した押さえ部材１４０と同様の構成の押さえ部１４５を形成して、固定ヒンジ部材と押さえ部材とを一体化することも可能である。
【００６１】
上記のような構成によれば、上下の支持板部１１５ｂ，１１５ｂの内面間隔やヒンジプレート１２５ｂ，１２５ｂの外面間隔を各部材の部品精度内に均一化できるとともに、部品点数および取付工数をともに削減することができる。なお、固定ヒンジ部材１１５を収容枠１０に取着するためのネジ挿通孔１１５ｈは、一般的には押さえ部１４５における押圧辺部１４８と前後に重ならない位置に配設されるが、固定ヒンジ部材１４５を固定するために必要なネジ本数や配設ピッチの関係で重複する場合や、押圧辺部１４８の上下位置では収容枠１０の背面側にネジボスを設けることが困難な場合等においては、押圧辺部１４８の背後中央に設けることも均等な荷重支持の上で好ましく、このような場合には押圧辺部１４８にネジ止め工具（ドライバー）を挿通させる工具挿通孔１４８ｈを設けることが好ましい。これにより、特殊な作業工具を用いることなく、また必要以上のネジを使用することなく、固定ヒンジ部材１１５を容易に固定しあるいは取り外すことができる。
【００６２】
さて、以上では収容枠１０および遊技盤２０の互いの左側に設けられた開閉着脱機構１００の構成を中心に説明してきたが、収容枠１０および遊技盤２０の右側には遊技盤２０の脱着作業を容易化する開放補助部材１５０、および収容枠１０に揺動閉止された遊技盤２０を係止保持させる係止機構２００が設けられている。
【００６３】
開放補助部材１５０は、図２に示すように収容枠１０の内部で上方の枠側係止構造２１０の下側に位置して設けられている。開放補助部材１５０は、この部材を取着する前の開放補助部材１５０および取付部周辺の斜視図を図１３に示し、開放補助部材１５０が取り付けられた状態で遊技盤２０を開閉する際の開放補助部材１５０の作用を図１４に平断面図として示すように、概略クランク状に折り曲げられた板状体で構成される。
【００６４】
開放補助部材１５０は、矩形フランジ状の基板部１５１、基板部１５１の左端が前方に凸の半円弧状に折り曲げられたアーチ部１５２、アーチ部１５２と繋がって後方に延びる側辺部１５３、側辺部の後部が左方（収容枠１０の枠部内方）に向けて折り曲げられた付勢片部１５４などからなり、所定板厚の鋼板を打ち抜きおよびプレス成型して図示形状に成形した後、必要に応じて所要の表面処理を施して形成される。
【００６５】
基板部１５１には、上下に所定ピッチをおいてナベ小ネジを挿通させるためのネジ挿通孔１５１ｈが穿設されている。側辺部１５３の前後方向寸法は収容枠１０の前後方向深さに合わせて形成されており、開放補助部材１５０を収容枠１０の所定位置に取り付けたときに、側辺部の後端、換言すれば付勢片部１５４の基端側の後面が収容枠１０の内面よりもわずかに前方に位置するように設定されている。また付勢片部１５４は、側辺部１５３の後端が幾分鋭角に折り曲げられて形成されており、先端側が左斜め前方に向かうように配設される。付勢片部１５４の先端は後方に向けてＲ状に形成され、化粧板２１の裏面と滑らかに係合し得るようになっている。
【００６６】
収容枠１０には、開放補助部材１５０を取り付ける補助部材取付部３５が形成されている。補助部材取付部３５では、収容枠１０の一部が基板部の配設位置形状に合わせて凹設され平坦な基板取着面３５ａが形成されるとともに、この基板取着面３５ａから後方に延びる円筒状のネジボス３５ｂが上下に所定間隔をおいて一体成型されている。
【００６７】
開放補助部材１５０は、基板部１５１を基板取着面３５ａに当接支持させ、上下のネジ挿通孔１５１ｈにナベ小ネジ１５６を挿通させてネジボス３５ｂに締め込むことで補助部材取付部３５に固定される。開放補助部材１５０がネジ固定されると、側辺部１５３が収容枠１０の右側面に沿って後方に延び、その後端から付勢片部１５４が収容枠１０の枠部内方に向けて突出し前端部が左斜め前方に浮き上がるように配設される。このように開放補助部材１５０が取り付けられると、付勢片部１５４は側辺部１５３および付勢片部の弾性力によってその先端側が前後に揺動変位可能に配設される。
【００６８】
また遊技盤２０側には、開放補助部材１５０の配設位置と整合して遊技盤２０の閉止時に開放補助部材１５０を受容する補助部材受容部３６が形成されている。補助部材受容部３６は開放補助部材１５０におけるアーチ部１５２および側辺部１５３を受容すべく、化粧板２１の整合位置が一部切り欠かれるとともに上レール飾り２２の立設壁面が一部左方にコの字状に屈曲形成されて形成され、遊技盤２０を揺動閉止させたときに、開放補助部材１５０と当接することなく補助部材受容部３６内にアーチ部１５２および側辺部１５３を受容可能になっている。なお、上レール飾り２２の正面の面板は補助部材受容部３６の前方を覆って形成され、ここに指掛け可能な開放操作部２２ｍが形成されている。このため、作業者はこの開放操作部２２ｍを利用して容易に遊技盤２０を開放操作できるとともに、遊技機正面から開放補助部材１５０が直接視認されないようになっている。
【００６９】
このため、上下のヒンジ構造１０１，１０２を係合させて遊技盤２０を閉止方向に揺動させると、化粧板２１や上レール飾り２２が開放補助部材１５０と当接することなく補助部材受容部３６内にアーチ部１５２および側辺部１５３を受容して遊技盤の閉止方向への揺動を許容する。そして化粧板２１の裏面が収容枠１０の内面と平行になる直前の揺動角度位置で化粧板２１の裏面が枠内に斜め前方に突出する付勢片部１５４の先端部と滑らかに係合する。この接触状態から遊技盤２０がさらに閉止方向に揺動されると、開放補助部材１５０が弾性変形して付勢片部１５４の先端側が後方に揺動変位し、次述する係止機構２００によって係止固定される閉鎖角度位置では、図１４中に実線で示すように、付勢片部１５４が収容枠１０の内面と化粧板２１の裏面との間に挟持されるように配設される。
【００７０】
一方、閉鎖角度位置で遊技盤２０を後方に押圧する押圧力を解除すると、開放補助部材１５０に蓄えられていた弾性力により弾性変形前の形状に自己復帰し、付勢片部１５４の先端部が化粧板２１の裏面を前方に押圧して遊技盤２０を開放方向に揺動させる。これにより、遊技盤２０の右辺側が収容枠１０の内面からわずかに浮き上がり（図１４中の二点鎖線を参照）、開放操作部２２ｍに指をかけて遊技盤２０を容易に開放させることができる。
【００７１】
なお、実施例では前方にクランク状に形成されて収容枠１０の前面側から取り付ける形態の開放補助部材１５０を例示したが、開放補助部材を前方にＬ字状に形成して収容枠１０の右側面に固定し、あるいは右側面にスリット状の開口を設けてこの側面の外側で固定し、または開放補助部材を後方にクランク状に形成するとともに収容枠１０にスリット状の開口を設けて収容枠１０の裏面側で固定する形態としてもよい。また、開放補助部材の配設位置は付勢片部が化粧板２１を前方に押圧可能な場所であればよく、例えば上下の枠側係止構造２２０の中間部の他、これらの上下外側や左右中央部に設けてもよく、さらに複数カ所に設ける構成としてもよい。
【００７２】
次に、係止機構２００は、収容枠１０および遊技盤２０の正面右側の上下に設けられており、開閉着脱機構１００により揺動開閉可能に支持された遊技盤２０が閉鎖角度位置に閉止されたときに、この遊技盤２０を係止固定する機構である。係止機構２００は、収容枠１０側に設けられた枠側係止構造２１０と、遊技盤２０側に設けられた盤側係止構造２２０とから構成される。以下、図１５〜図２４の各図を参照して係止機構２００について説明する。
【００７３】
ここで、図１５〜図１８の各図には主として係止機構２００の各部の構成を示しており、このうち図１５は係止機構２００の主要構成を分解状態で示す斜視図、図１６は係止機構２００を構成する各部材の組み付け関係を分解状態で示す平断面図、図１７は係止機構２００における枠側係止構造のレバー部２１５ｃと盤側係止構造の係止受け部２２５との関係を示す平断面図（部分断面図）、図１８は係止機構２００を構成する主要部材の単体正面図である。
【００７４】
また、図１９〜図２４の各図は係止機構２００によって遊技盤２０を固定保持させる際の各部の位置関係および作用を主として示しており、図１９は枠側係止構造２１０と盤側係止構造２２０とを分離状態で示す正面図、図２０は遊技盤２０を着脱する際の枠側係止構造２１０と盤側係止構造２２０との関係を示す側断面図、図２１は係止機構２００による遊技盤２０の係止状態を示す側断面図、図２２は図２１中の矢印 F22−F22方向に見た背面図であって(ａ)図は係止待機状態における背面図、(ｂ)図は係止状態における背面図、図２３は係止機構２００による遊技盤の位置決め作用を説明するための係止状態における係止機構２００の平断面図、図２４は係止機構の許容度を説明するための正面図である。
【００７５】
係止機構２００の配設位置は、遊技盤２０に設けられた遊技領域ＰＡや発射通路の形成位置および開閉着脱機構１００との対称性などを考慮して、できるだけ均等に遊技盤２０を係止保持し得るように設定され、実施例では遊技領域ＰＡの外側の上下２カ所に設けた例を示している。各係止機構２００は、それぞれ収容枠１０に設けられた枠側係止構造２１０と、遊技盤２０に設けられた盤側係止構造２２０とからなる。
【００７６】
枠側係止構造２１０は、収容枠１０に前方に向けて膨出成型された固定支持部２１１、固定支持部２１１の背面側に形成されたボルト支持部２１２、ボルト支持部２１２に後方から圧入され前方の固定支持部２１１に延びて固定配設されたボルト２１３、後端側がボルト２１３のネジ部に螺合されて回動可能に支持される固定レバー２１５などからなる。
【００７７】
固定支持部２１１は、円筒状のレバー収容部２１１ａと円筒前端に円環状に形成された固定支持面２１１ｃとを有し、収容枠１０に前方に開く有底円筒状に形成されている。レバー収容部２１１ａの内径は、固定レバー２１５の回動軸部２１５ａの外径よりもわずかに大きめに形成されており、レバー収容部２１１ａに前方から回動軸部２１５ａを受容して回動自在に嵌合支持し得るようになっている。固定支持面２１１ｃは平坦に形成された円環状の支持面であり、上下左右の４カ所に設けられた固定支持部の固定支持面２１１ｃが同一面上に形成されて遊技盤１０の支持基準面を形成する。なお、この固定支持面２１１ｃの上下位置に前方に突出するガイドピン２１１ｐを形成することも好ましい実施形態であり、このガイドピン２１１ｐについては後に詳述する。
【００７８】
ボルト支持部２１２は、固定支持部２１１の底部に前後連通して開口された支軸孔２１２ａと、その後方に六角形状で前枠後面に開く頭部収容穴２１２ｃとを有し、収容枠１０に固定支持部２１１と一体に成型されている。支軸孔２１２ａはレバー収容部２１１ａと同軸に位置してボルト２１３の軸部２１３ａの外形よりもわずかに小径に形成されており、後方からボルト２１３が圧入されたときにボルトの軸部２１３ａを締め込むように拘持して、ボルト２１３が前後方向に移動しないように固定保持する。また、頭部収容穴２１２ｃはボルト頭部２１３ｃの六角形状に合わせてこれよりわずかに大きめに形成されており、後方からボルト２１３が圧入されたときにボルト頭部を収容してボルト２１３がボルトの軸部まわりに回動しないように保持する。
【００７９】
ボルト２１３は、軸部２１３ａ、軸部の前方に形成されたネジ部２１３ｂおよび後端部に形成されたボルト頭部２１３ｃを有し、一般に市販されている部分ネジタイプの六角ボルトを用いた例を示しており、固定レバー２１５を回動させたときに回動操作角に対して前後方向移動量が遊技盤２０を着脱固定するのに適したネジ部を有するボルトが用いられる。具体的には、本実施例に示す係止機構２００では、ネジピッチ１〜２mm程度のメッキボルトないしステンレスボルトを用いている。
【００８０】
ボルト２１３は前枠２の後面側からボルト支持部２１２に圧入され、ボルト前方のネジ部２１３ｂがレバー収容部２１１ａの軸心に位置して前方に延び、ボルト基端側の軸部２１３ａが支軸孔２１２ａに拘持され、ボルト頭部２１３ｃが頭部収容穴２１２ｃに収容されて、ボルト２１３が前後方向に移動したりボルトの軸部まわりに回動したりすることなくボルト支持部２１２に固定保持される。なお頭部収容穴２１２ｃをボルト頭部２１３ｃの形状に合わせた六角形に形成しているため、圧入固定するボルト２１３におけるネジ食い付き部のラジアル方向角度位置を６０度単位で設定する（または６０度の範囲内で略一定の角度位置に配設する）ことが可能である。
【００８１】
固定レバー２１５は、円柱状の回動軸部２１５ａと、この回動軸部２１５ａの軸心に後端側から形成された雌ネジ部２１５ｂ、回動軸部２１５ａの前方に回動軸部２１５ａを挟んで対向方向に張り出し成型されたレバー部２１５ｃなどを主体として構成され、例えば、ＡＢＳ樹脂やポリアセタール樹脂（ＰＯＭ）などの樹脂材料を用いて射出成型等の成形手段で一体に形成される。これにより、レバー部２１５ｃに対する雌ネジ食い付き部の角度位置を一定に形成することができる。なお、必要に応じて樹脂材料にガラス繊維を添加して部材強度を向上させ、または雌ネジ部２１５ｂにコイル状の金属製ネジインサートを挿入し、あるいは雌ネジ部を形成した金属製ブッシュを圧入ないしインサートモールドして補強する形態としてもよい。
【００８２】
また本実施例では、一方のレバー部２１５ｃの基部裏側に回動軸部２１５ａから円周外方に滑らかに張り出し成型された押圧部２１５ｄ、および回動軸部２１５ａの前端部に所定サイズの六角レンチの先端形状に合わせて形成された工具係合穴２１５ｓを設けた例を示している。ここで、押圧部２１５ｄは、対向方向に形成された２カ所のレバー部のうち、一方のレバー部の基部裏側に形成されるが、この押圧部２１５ｄの配設位置を明確化するために指示指標を設けることが好ましく、図では押圧部２１５ｄが形成された側と反対側のレバー部２１５ｃにマーカ２１５ｍを付した例を示している（図２２を参照）。
【００８３】
固定レバー２１５は、回動軸部２１５ａを固定支持部２１１の前方から固定レバー収容部２１１ａに嵌挿し、雌ネジ部２１５ｂをボルト２１３のネジ部２１３ｂに螺合させて所定量ねじ込むことで固定支持部２１１に回動可能に支持される。そしてこのように固定レバー２１５が取り付けられると、固定レバーのレバー部２１５ｃが固定支持面２１１ｃの前方に対向して配設され、雌雄ネジ部の螺合に応じて回動および前後方向に移動可能に配設されて、収容枠１０に枠側係止構造２１０が形成される。
【００８４】
ここで、前述したボルト２１３の圧入時におけるネジ食い込み部の角度設定、および固定レバー２１５の基準的なねじ込み深さは、マーカ２１５ｍの付されたレバー部２１５ｃを鉛直上方に位置させた状態で、レバー部背面の係止面２１５ｒと固定支持面２１１ｃとの前後方向間隔が後述する係止受け部２２５の厚さ寸法Ｈよりもわずかに大きく、この状態から固定レバー２１５をネジ締結方向（正面視時計回り）に９０度締め込んだときに、レバー部背面の係止面２１５ｒと固定支持面２１１ｃとの前後方向間隔が係止受け部２２５の厚さ寸法Ｈと同一寸法〜わずかに小さめになるように設定される。以下の説明では、このように取り付けられた固定レバー２１５を上記のようにマーカ２１５ｍの付されたレバー部２１５ｃが鉛直上方を向くように位置させた角度位置を「解放位置」という。
【００８５】
なお、固定支持面２１１ｃの上下位置にガイドピン２１１ｐを突出成型する場合には、ガイドピン２１１ｐの固定支持面２１１ｃからの突出高さは、係止受け部２２５の厚さ寸法Ｈよりも幾分小さく（例えば、ボルト２１３のネジピッチの１／２程度小さく）設定される。このようなガイドピン２１１ｐを設ける構成とすれば、固定レバー２１５をねじ込んで上記解放位置に設定する際に、上下のレバー部２１５ｃがガイドピン２１１ｐに当接した角度位置からネジを緩める方向に固定レバー２１５を１／２〜１回転させて、マーカ２１５ｍが付されたレバー部２１５ｃを鉛直上方に位置させることで、固定レバー２１５が解放位置に配設される。このため、角度設定用のジグを用いたり作業者の勘に頼ることなく、迅速且つ確実に固定レバー２１５を解放位置にセットすることができる。
【００８６】
以上のように構成される枠側係止構造２１０と位置整合して、遊技盤１０に盤側係止構造２２０が設けられている。盤側係止構造２２０は、化粧板２１に形成された係止受容部２２１と、上下のレール飾り２２，２３に一体成型された係止受け部２２５とを主体として構成される。
【００８７】
係止受容部２２１は、収容枠側の固定支持部２１１の配設位置および形状に合わせて、これより幾分大きめなＵ字切込み状に化粧板２１の板面を前後貫通してルータ加工することによって形成され、収容枠１０の背面から前方に突出する固定支持部２１１を受容可能に形成されている。
【００８８】
係止受け部２２５は、係止受容部２２１の直前に位置してレール飾２２，２３りの背面から前方に突出する円形フランジ状に形成され、前面側に平坦な係止受け面２２５ｃが設けられている。係止受け面２２５ｃには、固定レバー２１５を解放位置に配設したときのレバー部２１５ｃと相似形態の係止開口２２５ｂが前後連通して形成されている。係止開口２２５ｂは固定レバーの回動軸部２１５ａを挿通させる左右の円弧部とレバー部２１５ｃを挿通させる上下のレバー挿通部とからなり、固定レバー２１５を解放位置にした状態で固定レバーの前方部を前後に挿通可能になっている。
【００８９】
係止受け面２２５ｃの背面側には、係止開口２２５ｂの開口縁部に沿って後方に延びる支持リブ２２５ａが形成されている。支持リブ２２５ａにおける左右の円弧部は、回動軸部２１５ａの外径よりも幾分大きめで、固定支持面２１１ａの円環径に合わせて形成されており、固定レバー２１５を解放位置にして前端のレバー部２１５ｃを挿通させたときに、支持リブ２２５ａの円弧部後端面が固定支持面２１１ａに当接して支持される。すなわち支持リブ２２５ａの後端面が遊技盤２０の右側の支持基準面（被支持基準面）になっている。
【００９０】
一方、係止受け面２２５ｃと対向するレバー部２１５ｃの背面側には、後方に凸の円弧状に形成された係止面２１５ｒが設けられている（図１７を参照）。このため、固定レバー２１５を解放位置にして係止開口２２５ｂを通してレバー部２１５ｃを前方に突出させ、この状態（係止待機状態）から固定レバー２１５をネジ締結方向に回動させたときに、レバー部２１５ｃが係止開口２２５ｂの開口縁部に引っかかることなく回動し、および螺合に応じて後方に移動して、係止面２１５ｒが滑らかに係止受け面２２５ｃと係合する。
【００９１】
また、固定レバー２１５が解放位置に配設された状態では、回動軸部２１５ａに張り出し成型された押圧部２１５ｄが下側のレバー部（マーカ２１５ｍの付されていない側のレバー部）の基部裏側に位置しており、係止開口２２５ｂを通してレバー部２１５ｃを挿通させたときに、押圧部２１５ｄの最大径部分が下側のレバー挿通部にわずかに突出し、その左右において左右の支持リブ２１５ａの内周面と近接した状態で配設される（図２２(ａ)を参照）。
【００９２】
そして、この係止待機状態から固定レバー２１５をネジ締め込み方向（正面視時計回り、図２２では背面方向から見ているため反時計回り）に回動させると、押圧部２１５ｄが左側の支持リブ２２５ａの内周面と係合して係止受け部２２５を正面左方向に押圧する（図２２(ｂ)および図２３を参照）。これにより遊技盤２０が正面左方向に押圧され、上下のヒンジ溝１２１ｃ，１２２ｃが右端の円弧部でヒンジピン１１１ｃ，１１２ｃに当接されて位置決め支持される。このようにして遊技盤２０が前後左右に位置決めされ、ガタや振動を生じることなく確実に係止保持される。
【００９３】
なお、遊技盤２０の下方に位置する係止受け部２２５には、係止受け部２２５の前方を覆う係止受けカバー２２７が下レール飾り２３に横開き開閉可能に取り付けられており、常には閉鎖状態に保持されてガラス扉５の正面側から係止機構２００が視認されないようにするとともに、型式シールあるいは著作権シール等の貼り付け面を形成している。
【００９４】
さて、以上説明した開閉着脱機構１００および係止機構２００を利用して遊技盤２０を収容枠１０に装着固定する場合について、図２５を加えて各図を参照しながら説明する。なお図２５はガラス扉５を開放させた状態におけるパチンコ機ＰＭの平面図である。
【００９５】
遊技盤２０の装着に際しては、ガラス扉５を開放して枠側係止構造２１０の上下２カ所の固定レバー２１５を解放位置に設定しておき、遊技盤２０の左側縁を前方として前枠２の前面側から収容枠１０に斜めに挿入する。そして遊技盤２０の左前端の下部揺動ヒンジ部材１２２を下部固定ヒンジ部材１１２の配設位置に概略合わせて収容枠１０に一旦載置して支持させたうえ（図１１を参照）、化粧板２１の前面を押圧辺部１４４の先端部に係合させて、そのまま遊技盤２０を左斜め後方にスライド移動させる。
【００９６】
すると、側辺部１４３が左方にわずかに揺動変移して収容枠１０の左側面に当接し、押圧辺部１４４の先端位置を位置決めして化粧板２１の導入位置を規定し、上下のヒンジ溝１２１ｃ，１２２ｃを各々上下のヒンジピン１１１ｃ，１１２ｃに導いてこれらの係合を案内する。そして、ヒンジ溝に沿って遊技盤２０を基板部１４１と押圧辺部１４４との間に斜めに受容し、上下のヒンジピンとヒンジ溝とをヒンジ結合させる（図１２(ａ)を参照）。
【００９７】
ここで、上下の揺動ヒンジ部材１２１，１２２がそれぞれ収容部３１ｂ，３２ｂに収容されて遊技盤の外周方向に突出しないように配設されているため、遊技盤の取扱時に揺動ヒンジ部材を引っ掛けて周辺部材に損傷を与えたりたり、揺動ヒンジ部材を変形させてしまうようなことがない。また下部固定ヒンジ部材１１２が固定ヒンジ収容溝１２に収容されて周囲の枠面と平坦に配設されているため、遊技盤２０の装着時に引っかかりを生じることなく滑らかにヒンジ係合させることができる。さらに化粧板２０の裏面角部に逃げ面２１ｒが形成され、上レール飾り２２の前面角部にはテーパ面２２ｃが形成されているため、比較的大きな挿入角度で上下ヒンジ構造をヒンジ結合させることができる。
【００９８】
次いで、このようにヒンジ結合された遊技盤２０を揺動軸まわりに揺動させて収容枠１０内に閉止させる。遊技盤２０を閉止方向に揺動させる過程では、押圧辺部１４４による化粧板２１の押さえ位置が押圧辺部１４４の先端側から基端側に滑らかに変化する。一方、遊技盤２０の右側では化粧板２１の裏面が収容枠１０の内面と平行になる直前の揺動角度位置で化粧板２１の裏面が開放補助部材１５０の付勢片部１５４の先端部と滑らかに係合する。この接触状態から開放補助部材の弾性力に抗して遊技盤２０を後方に押圧すると、開放補助部材１５０が弾性変形して付勢片部１５４の先端側が後方に揺動変位し、化粧板２１の裏面が収容枠１０の内面と平行になる閉鎖角度位置では、付勢片部１５４が収容枠１０の内面と化粧板２１の裏面との間に挟持され収容保持される（図１４中の実線を参照）。
【００９９】
このとき、上下の係止機構２００では、閉鎖角度位置に至る過程で係止受容部２２１が固定支持部２１１を受容して収容枠内に進入し、支持リブ２２５ａの後端面が固定支持面２１１ｃに当接支持されるとともに、固定レバーのレバー部２１５ｃが係止開口２２５ｂを通って係止受け面２２５ｃの前方に突出する。
【０１００】
そこで、前方に突出したレバー部２１５ｃを摘んで時計回りに回動させる。すると固定レバー２１５が回動するとともに螺合に応じて後方に移動し、レバー部背面の係止面２１５ｒが係止受け面２２５ｃと滑らかに係合する。そして固定レバー２１５を解放位置から略９０度締め込んだとき（すなわちマーカ２１５ｍの付されたレバー部２１５ｃが正面右９０度の角度位置まで回動されたとき）に、係止面２１５ｒが係止受け面２２５ｃを後方に押圧してレバー部２１５ｃと固定支持面２１１ｃとの間に係止受け部２２５を挟み込むように挟持し、遊技盤２０を前後方向に位置決めして押圧固定する。
【０１０１】
また回動軸部の左側に回動変位したレバー部２１５ｃの基部裏側に形成された押圧部２１５ｄが、上記締め込み過程において正面左側の支持リブ２２５ａの内周面と係合して遊技盤２０を左方に押圧し、遊技盤２０を左右方向に位置決めして押圧固定する。これにより、遊技盤２０がガタなく収容枠１０に位置決めされ固定保持される（図２４(ａ)→(ｂ)）。
【０１０２】
一方、このように固定保持された遊技盤２０を取り外す際には、まず遊技盤２０を軽く後方に押さえながら上下の係止機構２００の固定レバー２１５を解放位置に（反時計回りに）回動させる。そしてして遊技盤２０を押さえていた支持力を緩めると、化粧板２１の裏面と収容枠１０の内面との間に挟持されていた付勢辺部１５４が、開放補助部材１５０に蓄えられていた弾性力により変形前の状態に自己復帰して化粧板２１の裏面を前方に押圧し、遊技盤２０を開放方向に揺動させる。このため、遊技盤２０の右辺側が収容枠１０からわずかに浮き上がり（図１４中の二点鎖線を参照）、指掛け可能に現れた開放操作部２２ｍを利用して遊技盤２０を容易に揺動開放させることができる。以降の脱着作業は原則的に上記装着作業と逆の作業を行えばよい。
【０１０３】
なお、係止機構２００では、適切なピッチのネジを適切な角度位置に配設することで、上記のように固定レバー２１５を解放位置から９０度締め込んだときに係止受け部２２５が挟持固定されるように構成するとともに、このような標準固定位置で固定レバー２１５の後端面とレバー収容部２１１ａの底面との間に所定のクリアランスＣＡ（例えばネジ１ピッチ相当のクリアランス）が生じるように固定レバー２１５およびレバー収容部２１１ａを設定している。このため、例えば、使用されるレール飾りによって係止受け部２２５の厚さ寸法に差異やばらつきがあったり、化粧板２１に反りがあった場合、あるいは長期にわたる固定状態によって固定レバーに変形が生じた場合であっても、固定レバーの締め込み角度を調整することでこれらの誤差を吸収することができ、遊技盤２０を確実に固定保持できるようになっている。
【０１０４】
例えば、係止受け部２２５の厚さが基準となる厚さよりも薄かった場合や、固定レバーのレバー部２１５ｃが摩耗または変形した場合には、図２４(ｃ)に示すように固定レバー２１５を標準的な右９０度の固定位置を超えて回動させることでレバー部２１５ｃを係合させて挟持固定することができる。逆に係止受け部２２５の厚さが基準となる厚さよりも厚かった場合や、化粧板に反りが生じていた場合には、図２４(ｄ)に示すように固定レバー２１５を標準的な右９０度の固定位置まで回動させない角度位置でレバー部２１５ｃを係合させて挟持固定することができる。
【０１０５】
なお、本実施形態では係止受け部２２５をレール飾りに形成し、この係止受け部２２５のみを挟持するように構成することで、化粧板２１に厚さのばらつきがあってもその影響を受けない構成としているが、例えば化粧板２１を含めて挟持させるような形態の場合には、化粧板２１の厚さのばらつきによる誤差を吸収して遊技盤２０を固定保持させることができる。また、固定レバー２１５の締め込みには、必要に応じて固定レバー前端の工具係合穴２１５ｓを利用して六角レンチ等の工具を用いて係止操作を行うこともでき、これによりさらに強固に固定保持させること、および固定レバー２１５を不正に開閉するような悪戯を抑制することが可能である。
【０１０６】
このように、係止機構２００によれば、係止受け部２２５の厚さのばらつきや各部材の誤差等によらず確実に遊技盤２０を係止固定できるとともに、遊技盤２０の状態が係止待機状態にあるか固定状態にあるかを固定レバー２１５の角度位置からも目視認識できる。しかしながら、着脱作業を急ぐあまり下方の係止機構を固定した段階で固定完了と誤認する場合も生じ得る。このため、本パチンコ機ＰＭにおいては、このような誤認によって遊技盤２０が未固定状態のまま遊技に供されることを未然に防止するため、固定忘れ防止機構２５０を設けている。以下、図２１および図２６〜図２８の各図を主として参照しながら固定忘れ防止機構２５０について説明する。
【０１０７】
ここで、図２６および図２７は係止機構２００と固定忘れ防止機構２５０との関係を示す平断面図であって、図２６は係止機構２００が未固定状態における平断面図、図２７は係止機構２００が固定状態における平断面図、図２８は固定忘れ防止機構２５０の作用を示す平面図である。
【０１０８】
各図には固定忘れ防止機構２５０における干渉部材として、干渉突起２５５をガラス扉５に設けた例を示している。干渉突起２５５は、ガラス扉５の裏面側に扉枠５１から後方に突出して設けられており、段付き円柱状の突起部がガラス扉５と一体に成型されている（図１、図２および図２５を併せて参照）。
【０１０９】
干渉突起２５５は、ガラス扉５を閉止させたときにガラス扉の背後に位置して対峙する係止機構２００の位置に合わせて設けられており、ガラス扉５が閉止方向に揺動されときに、解放位置から所定角度締め込まれた係止位置に位置する固定レバー２１５とは干渉しないが、解放位置に位置する固定レバー２１５のレバー部２１５ｃと干渉するように設定されている。すなわち干渉突起２５５は、固定レバー２１５における回動軸部２１５ａの上方または下方に突出するように設けられており、図示する固定忘れ防止機構２５０では回動軸部２１５ａの上方に突出するように配けた例を示している。
【０１１０】
このため、図２１および図２７に、係止機構２００における固定レバー２１５を右９０度の係止位置に位置させて、ガラス扉５を閉止させた状態を示すように、干渉突起２５５は固定レバー２１５と干渉することなく回動軸部２１５ａの上方に位置して収容され、ガラス扉５が完全に閉止施錠される。
【０１１１】
一方、固定レバー２１５が解放位置にあるときにはレバー部２１５ｃが回動軸部２１５ａの上下に位置しており、図２６に示すように、干渉突起２５５の先端部が固定レバーのレバー部２１５ｃと干渉してガラス扉５を閉止させることができない。このため、遊技盤２０の装着作業を行った作業者は、ガラス扉５が閉止できないことで遊技盤２０が完全には固定されていないことを直ちに理解できる。従って、遊技盤２０の固定忘れを未然に防止して遊技盤２０が不完全な固定状態で遊技に供されることを防止することができる。
【０１１２】
なお、本実施例では、ガラス扉５の背面に干渉突起２５５を設け、固定レバー２１５が解放位置にある状態でガラス扉５を閉止させようとしたときに、干渉突起２５５がレバー部２１５ｃと当接してガラス扉５が閉止できないように構成した例を示したが、下側の係止機構のように固定レバー２１５の前方に係止受けカバー２２７が設けられているような場合には、例えば、当該係止受けカバーのカバー面に干渉突起２５５が通過可能な突起挿通孔を設けることで上記実施例と同様に構成することができる。また、上記干渉突起２５５と同様の突起部を係止受けカバー２２７の背面に設け、固定レバー２１５が解放位置にある時には係止受けカバーの突起部が固定レバーのレバー部２１５ｃと当接して閉止されず、これに伴ってガラス扉５が閉止できないように構成してもよい。
【０１１３】
また、係止機構２００では、固定レバー２１５の前端部に六角形の工具係合穴２１５ｓを設け、六角レンチ等の工具を用いて開閉操作可能な形態を例示したが、図２４(ａ)(ｂ)と同様の係止機構の正面図を図２９(ａ)(ｂ)に示すように、この係合穴を施錠装置４の開錠時に用いる合い鍵で開閉操作可能な形態の鍵係合穴２１５ｔとしてもよい。これにより、遊技盤２０の着脱時に別途工具を準備することなく通常使用する合い鍵を用いて作業を行えるとともに、合い鍵を持たない無権限者による不正操作を有効に防止することができる。
【０１１４】
さらに、実施例では固定支持部２１１に雄ネジ部（ボルト２１３）を設け、固定レバー２１５に雌ネジ部２１５ｂを設けて螺合させる形態を示したが、固定支持部２１１と固定レバー２１５のネジによる螺合形態は雌雄を逆転させた形態であってもよい。すなわち、固定支持部２１１の後部に雌ネジ部を形成し、固定レバー２１５の後端に後方に突出する雄ネジ部を設けてこれらを螺合させる形態としてもよい。この場合、固定レバー２１５に雄ネジ部を設ける手段として、例えば、固定レバーのネジ部２１５ｂにスタッドボルトを植設する構成や、上述したと同様のボルト支持部（２１２）を固定レバーに設けて圧入固定する構成、雄ネジ部が形成された金属部材を固定レバーにインサートモールドあるいは圧入して一体に形成する構成など適宜な手段を用いることができる。
【０１１５】
ところで、以上では収容枠の枠部内方に突出して遊技盤２０の前面と係合し、遊技盤２０を後方に押圧する押さえ部材１４０について、遊技盤装着時に遊技盤２０を案内するとともに、遊技盤２０を後方に押圧してガタなく収容枠１０に位置決め保持させる基本的機能を説明した。しかし、押さえ部材１４０にはさらに付加的な機能を持たせてあり、以下この機能について説明する。なお、押さえ部材の作用を示す図１２を適宜参照されたい。
【０１１６】
まず、本実施例の各図に示した開放補助部材１４０では、遊技盤２０を収容枠１０に左斜め前方に挿入して上下のヒンジ構造を係合させたときに、押圧辺部１４４の前端部が当接する化粧板の前面位置すなわち後方への押圧力の作用点は、上下のヒンジピンによって形成される揺動軸から化粧板２１の前面に立てた垂線よりも右側に位置するように設定している。このことは、係合初期段階における回転モーメントは遊技盤２０を閉止させる方向に作用することを意味する。
【０１１７】
一方、上下ヒンジ構造のヒンジ結合後、遊技盤２０を閉止方向に揺動させると、上記押圧力の作用点は押圧辺部１４４の基端側に移動し、閉止位置では化粧板２１の左端近傍を後方に押圧する。このことは、揺動閉止過程において遊技盤２０に作用する回転モーメントが閉止方向から開放方向へと変化していることを意味し、閉鎖角度位置では、力としては遊技盤２０を後方に押圧して位置決め保持させるが、揺動軸を中心とする回転モーメントとしては開放方向に作用することを意味する。
【０１１８】
このため、例示した押さえ部材１４０では、遊技盤２０の角度位置に応じて、開き角の大きい角度位置では遊技盤２０を閉止方向に付勢する閉止補助部材として機能し、閉鎖角度に近い角度位置では上述した開放補助部材１５０と同様に開放方向に付勢する開放補助部材として機能する。これにより着脱作業の操作性を向上させて作業性が良好な固定装置を構成している。
【０１１９】
なお、押圧辺部１４４の形状および遊技盤前面の押圧位置を適宜に設定することによって、上記と異なる機能を持たせることも自在である。例えば、側辺部１４３に対する押圧辺部１４４の屈折角を鋭角に形成し、あるいは押圧辺部１４４の先端に後方に凸の円弧状の突部を形成して、上記押圧力の作用点が遊技盤２０の開閉角度位置に拘わらず揺動軸から立てた垂線よりも常に右側に位置するように設定することで、回転モーメントを常時閉止方向に作用させて閉止補助部材として機能させることができる。また例えば、押圧辺部１４４の長さを短く形成すること等により、押圧力の作用点が上記垂線よりも常に左側に作用するように構成することもでき、これにより開放補助部材として機能させることができる。
【符号の説明】
【０１２０】
ＣＡ  クリアランス
ＦＳ  遊技盤固定装置
ＰＡ  遊技領域
ＰＭ  パチンコ機
Ｈ  係止受け部の厚さ寸法
Ｗ  ヒンジ溝入口の開口寸法
１  外枠
２  前枠
３ａ，３ｂ  ヒンジ機構
４  施錠装置
５  ガラス扉
６  球皿
７ａ，７ｂ，７ｃ  ヒンジ機構
８  操作ハンドル
１０  収容枠
１２  固定ヒンジ収容溝（１２ｈ  ネジ受容溝）
２０  遊技盤
２１  化粧板（２１ｒ  逃げ面）
２２  上レール飾り（２２ｃ  テーパ面、２２ｍ  開放操作部）
２３  下レール飾り
２４  入賞具
２５  図柄表示装置
２７  アウト口
３０  裏セット盤
３１ａ  固定収容部
３１ｂ  切り欠き部
３２ａ  固定収容部
３２ｂ  切り欠き部
３３  押さえ部材取付部（３３ａ  基板収容部、３３ｂ  アーチ収容溝）
３４  押さえ部材受容部
３５  補助部材取付部（３５ａ  基板取着面、３５ｂ  ネジボス）
３６  補助部材受容部
５１  扉枠
５２  ガラスアッセンブリ
５３ａ，５３ｂ  ヒンジ機構
５４  ガラス施錠機構
１００  開閉着脱機構
１０１  上部ヒンジ構造
１０２  下部ヒンジ構造
１１１  上部固定ヒンジ部材
（１１１ａ  固定部、１１１ｂ  支持板部、１１１ｃ  ヒンジピン、  １１１ｈ  ネジ挿通孔）
１１２  下部固定ヒンジ部材
（１１２ａ  固定部、１１２ｂ  支持板部、１１２ｃ  ヒンジピン、
１１２ｈ  ネジ挿通孔）
１１５  固定ヒンジ部材
（１１５ａ  固定部、１１５ｂ  支持板部、１１５ｃ,１１５ｃ′  ヒンジピン、  １１５ｈ  ネジ挿通孔）
１２１  上部揺動ヒンジ部材
（１２１ａ  固定部、１２１ｂ  ヒンジプレート、１２１ｃ  ヒンジ溝、  １２１ｈ  ネジ挿通孔）
１２２  下部揺動ヒンジ部材
（１２２ａ  固定部、１２２ｂ  ヒンジプレート、１２２ｃ  ヒンジ溝、  １２２ｈ  ネジ挿通孔）
１２５  揺動ヒンジ部材
（１２５ａ  固定部、１２５ｂ  ヒンジプレート、１２５ｃ  ヒンジ溝）
１４０  押さえ部材
１４１  基板部
（１４１ｈ  ネジ挿通孔、１４１ｐ  ピン係合孔）
１４２  アーチ部
１４３  側辺部
１４４  押圧辺部
１４５  押さえ部
１４８  押圧辺部（１４８ｈ  工具挿通孔）
１５０  開放補助部材
１５１  基板部（１５１ｈ  ネジ挿通孔）
１５２  アーチ部
１５３  側辺部
１５４  付勢片部
１５６  ナベ小ネジ
２１０  枠側係止構造
２１１  固定支持部
（２１１ａ  レバー収容部、２１１ｃ  固定支持面、２１１ｐ  ガイドピン）
２１２  ボルト支持部
（２１２ａ  支軸孔、２１２ｃ  頭部収容穴）
２１３  ボルト
（２１３ａ  軸部、２１３ｂ  ネジ部、２１３ｃ  ボルト頭部）
２１５  固定レバー
（２１５ａ  回動軸部、２１５ｂ  雌ネジ部、２１５ｃ  レバー部、
２１５ｄ  押圧部、２１５ｍ  マーカ、２１５ｒ  係止面、
２１５ｓ工具係合穴、２１５ｔ  鍵係合穴）
２２０  盤側係止構造
２２１  係止受容部
２２５  係止受け部
（２２５ａ  支持リブ、２２５ｂ  係止開口、２２５ｃ  係止受け面）
２２７  係止受けカバー
２５０  固定忘れ防止機構
２５５  干渉突起
【図１】
2010167319.tif 000003
【図２】
2010167319.tif 000004
【図３】
2010167319.tif 000005
【図４】
2010167319.tif 000006
【図５】
2010167319.tif 000007
【図６】
2010167319.tif 000008
【図７】
2010167319.tif 000009
【図８】
2010167319.tif 000010
【図９】
2010167319.tif 000011
【図１０】
2010167319.tif 000012
【図１１】
2010167319.tif 000013
【図１２】
2010167319.tif 000014
【図１３】
2010167319.tif 000015
【図１４】
2010167319.tif 000016
【図１５】
2010167319.tif 000017
【図１６】
2010167319.tif 000018
【図１７】
2010167319.tif 000019
【図１８】
2010167319.tif 000020
【図１９】
2010167319.tif 000021
【図２０】
2010167319.tif 000022
【図２１】
2010167319.tif 000023
【図２２】
2010167319.tif 000024
【図２３】
2010167319.tif 000025
【図２４】
2010167319.tif 000026
【図２５】
2010167319.tif 000027
【図２６】
2010167319.tif 000028
【図２７】
2010167319.tif 000029
【図２８】
2010167319.tif 000030
【図２９】
2010167319.tif 000031